(57)【特許請求の範囲】
【請求項１】
収納容器が縦横に２個ずつ計４個連接された複数用収納容器であって、前記収納容器が、底部及び該底部の周縁より立設された周壁部からなる容器本体と、該容器本体の開口部の端縁に分離可能に周設されたフランジ板とを有し、隣接する前記収納容器のフランジ板同士を分離可能に接続することにより前記収納容器同士が相互に連接されており、且つ前記フランジ板に、前記容器本体の開口部の端縁に達する切り込みが設けられており、該切り込みが、曲線状又はジグザグ状であって且つ隣接するフランジ板の切り込み方向とは垂直方向に設けられていることを特徴とする複数用収納容器。
【発明の詳細な説明】
【技術分野】
【０００１】
本発明は、サラダなどの食品を収容するための収納容器が複数個連接された複数用収納容器に関する。本発明の複数用収納容器は、各容器ごとに切り離して、容器ごと弁当箱などに入れて使用される。
【背景技術】
【０００２】
食品を収容するための収納容器が複数個連接された複数用収納容器としては、例えば、特許文献１に、３個の収納容器が直列に配置されて連接された味付食品用容器が提案されている。しかし、この味付食品用容器は、各収納容器が、それぞれの開口フランジ部において相互に連結され、それらフランジ部が一体化されたものであり、各収納容器ごとに分離できるように工夫されたものではない。
また、特許文献２には、冷凍食品などを収容する容器を縦横に２個ずつ計４個配置して連接した複数用収納容器であって、各容器をフランジ部のミシン目で切り離し可能な複数用収納容器が記載されている。しかし、この複数用収納容器は、各容器を連結するフランジ部が一枚のフランジ板で形成されているため、各容器をフランジ部のミシン目で切り離すことが容易とはいえない。
【０００３】
【特許文献１】特開平９−２５３３号公報
【特許文献２】意匠登録第１１８４９２８号公報
【発明の開示】
【発明が解決しようとする課題】
【０００４】
本発明の目的は、使用時に、収納容器同士の切り離し及び容器本体とフランジ板との切り離しが容易であり、且つ、収納容器内への食品の充填工程及び包装工程や輸送中などにおいて、外力が加わっても、各収納容器がバラバラに分離したり、容器本体とフランジ板とがバラバラに分離したりすることがない複数用収納容器を提供することにある。
【課題を解決するための手段】
【０００５】
本発明は、収納容器が縦横に２個ずつ計４個連接された複数用収納容器であって、前記収納容器が、底部及び該底部の周縁より立設された周壁部からなる容器本体と、該容器本体の開口部の端縁に分離可能に周設されたフランジ板とを有し、隣接する前記収納容器のフランジ板同士を分離可能に接続することにより前記収納容器同士が相互に連接されており、且つ前記フランジ板に、前記容器本体の開口部の端縁に達する切り込みが設けられており、該切り込みが、曲線状又はジグザグ状であって且つ隣接するフランジ板の切り込み方向とは垂直方向に設けられていることを特徴とする複数用収納容器を提供することにより、前記目的を達成したものである。
【発明の効果】
【０００６】
本発明の複数用収納容器は、使用時に、収納容器同士の切り離し及び容器本体とフランジ板との切り離しが容易であり、且つ、収納容器内への食品の充填工程及び包装工程や輸送中などにおいて、収納容器の接続部やフランジ板の切り込みに外力が加わっても、各収納容器がバラバラに分離したり、容器本体とフランジ板とがバラバラに分離したりすることがない。
【発明を実施するための最良の形態】
【０００７】
以下、本発明の複数用収納容器の好ましい実施形態を、図面を参照しながら説明する。
まず、図１及び図２に示す実施形態について説明する。図１は、本発明の複数用収納容器の一実施形態の平面図であり、図２は、図１のＡ−Ａ断面図である。
図１に示すように、本実施形態の複数用収納容器１は、収納容器２を縦横に２個ずつ計４個配置して連接したものである。
各収納容器２は、それぞれ、略楕円形の底部３１及び、該底部３１の周縁より図２に示すように開口部に向けて拡開し、図１に示すように周方向に凹凸形状である周壁部３２からなる容器本体３と、該容器本体３の開口部の端縁に周設された外形が正方形状のフランジ板４とから構成されている。図１に示すように、容器本体３は、フランジ板４の中央部に、略楕円形の開口部の短軸方向及び長軸方向がフランジ板４の対角線上に略位置するように配置されており、容器本体３とフランジ板４とは、ミシン目４１に沿って手で分離可能に接続されている。
そして、図１に示すように、４個の収納容器２は、いずれも、各容器本体３の略楕円形の開口部の短軸方向が複数用収納容器１の中央部方向になるように配置されている。このように４個の収納容器２を配置することにより、複数用収納容器１の安定性を向上させることができる。
【０００８】
また、各収納容器２は、それぞれのフランジ板４において、隣接する収納容器と相互に連接されている。これらのフランジ板４同士の接続は、それぞれミシン目４２に沿って手で分離可能に接続されている。
そして、ミシン目４２の交差部は、円弧状のミシン目４３とし、ミシン目４２が複数用収納容器１の中央部で直交しないようになしてある。
【０００９】
また、各収納容器２のフランジ板４には、それぞれ、波形の切り込み５が、隣接するフランジ板と接していない縁辺の隅角近傍に設けられている。この切り込み５は、容器本体３とフランジ板４との境のミシン目４１まで達しており、且つ、図１に示すように、それぞれ隣接するフランジ板の切り込み方向とは垂直方向となるように設けられている。
【００１０】
本実施形態の複数用収納容器は、ミシン目４２の交差部を円弧状のミシン目４３とし、ミシン目４２が複数用収納容器１の中央部で直交しないようになしてあるため、収納容器の接続部に外力が加わっても、各収納容器がバラバラに分離しにくい効果に特に優れるものである。また、切り込み５が、波形形状で、それぞれ隣接するフランジ板の切り込み方向とは垂直方向となるように設けられているため、フランジ板の切り込みに外力が加わっても、容器本体とフランジ板とがバラバラに分離しにくい効果に特に優れるものである。
【００１１】
次に、図３に示す実施形態について説明する。図３は、本発明の複数用収納容器の他の実施形態の図１に相当する平面図である。
図３に示すように、本実施形態の複数用収納容器１Ａは、フランジ板４Ａ同士の接続部のミシン目４２Ａが、複数用収納容器１Ａの中央部で直交し、且つフランジ板４Ａにそれぞれ設けた切り込み５Ａが、直線形状であること以外は、図１に示す実施形態と同様に構成されている。
本実施形態の複数用収納容器１Ａは、使用時に、収納容器同士の切り離し及び容器本体とフランジ板との切り離しが容易なものである。
【００１２】
次に、図４に示す実施形態について説明する。図４は、本発明の複数用収納容器の他の実施形態の図２に相当する断面図である。
図４に示すように、本実施形態の複数用収納容器１Ｂは、複数用収納容器の中央部に設けた円弧状のミシン目４３Ｂで囲まれた部分を窪ませて凹部６Ｂとなしたものであり、それ以外は図１に示す実施形態と同様に構成されている。
本実施形態の複数用収納容器１Ｂは、前記凹部６Ｂが設けられているため、各収納容器がバラバラに分離しにくい効果がより一層優れるものである。
【００１３】
次に、図５に示す実施形態について説明する。図５は、本発明の複数用収納容器の他の実施形態の図１に相当する平面図である。
図５に示すように、本実施形態の複数用収納容器１Ｃは、複数用収納容器の中央部に設けたミシン目４３Ｃをコ字形状に形成した以外は、図１に示す実施形態と同様に構成されている。
本実施形態の複数用収納容器１Ｃは、図１に示す実施形態のものと同様、各収納容器がバラバラに分離しにくい効果及び容器本体とフランジ板とがバラバラに分離しにくい効果に特に優れるものである。
【００１４】
次に、図６に示す実施形態について説明する。図６は、本発明の複数用収納容器のさらに別の実施形態の平面図である。
図６に示すように、本実施形態の複数用収納容器１Ｄは、フランジ板４Ｄが外形正三角形状に形成された収納容器２Ｄを６個、正六角形状に配置して、ミシン目４２Ｄに沿って手で分離可能に連接したものである。
本実施形態の複数用収納容器１Ｄを構成する収納容器２Ｄは、フランジ板４Ｄが外形正三角形状に形成されており、且つ切り込み５Ｄが、隣接するフランジ板と接していない縁辺の中間から容器本体３Ｄとフランジ板４Ｄとの境のミシン目４１Ｄまで設けられている以外は、図１に示す実施形態における収納容器２と同様に構成されている。
本実施形態の複数用収納容器１Ｄは、図１に示す実施形態のものと同様、各収納容器がバラバラに分離しにくい効果及び容器本体とフランジ板とがバラバラに分離しにくい効果に特に優れるものである。
【００１５】
本発明の複数用収納容器は、前記実施形態に限定されることなく種々の変更が可能である。例えば、使用時に容器本体とフランジ板との分離を容易にするための切り込みは、各収納容器がバラバラに分離しにくい効果及び容器本体とフランジ板とがバラバラに分離しにくい効果の観点からは、前記実施形態に示すように、隣接するフランジ板と接している縁辺からなるべく離れた位置に設けることが好ましいが、切り込みが波形などの曲線状又はジグザグ状の場合には、フランジ板の任意の位置に設けてもよい。切り込みが直線状の場合は、隣接するフランジ板と接している縁辺と、隣接するフランジ板と接していない縁辺との中間より、隣接するフランジ板と接していない縁辺側の領域に、該切り込みを設けることが好ましい。また、前記実施形態では、容器本体の形状を断面略楕円形状としたが、断面円形状のものでも、断面多角形状のものでもよく、特に制限されるものではない。
【００１６】
本発明の複数用収納容器は、各収納容器の容器本体に所定量の食品を収容後、包装して製品とされる。収容される食品は、惣菜、デザートなどであり、固形食品が好ましく、例えば惣菜としてはサラダ、マカロニ、きんぴらごぼう、ハンバーグなどが挙げられ、デザートとしてはプリン、ゼリーなどが挙げられる。
本発明の複数用収納容器を使用するに際しては、例えば図７に示すように、使用する個数分の収納容器２を、隣接する収納容器のフランジ板との接続部のミシン目４２に沿ってそれぞれ切り離し、次いでフランジ板４に設けた切り込み５を利用して、容器本体３とフランジ板４との接続部のミシン目４１に沿って容器本体３とフランジ板４とを切り離す。フランジ板４と切り離した容器本体３は、そのまま容器ごと弁当箱７などに入れて使用することができる。
【００１７】
本発明の複数用収納容器を構成する収納容器の容器本体は、その大きさが特に制限されるものではないが、弁当箱などに入れて使用する観点からは、断面円形状の容器の場合、底部の径が３０〜６０ｍｍ、開口部の径が４０〜７０ｍｍ、深さが２０〜４５ｍｍとするのが好ましい。また、フランジ板の大きさは、外形正方形状の場合、一辺の長さ６０〜９０ｍｍ程度とするとよい。
また、前記容器本体の材質は、食品に使用可能なものであれば特に制限されるものではなく、例えばポリプロピレン、ポリエチレンなどであり、前記フランジ板の材質は、容器本体の材質と同様である。
【図面の簡単な説明】
【００１８】
【図１】本発明の複数用収納容器の一実施形態の平面図である。
【図２】図１のＡ−Ａ断面図である。
【図３】本発明の複数用収納容器の他の実施形態の図１に相当する平面図である。
【図４】本発明の複数用収納容器の他の実施形態の図２に相当する断面図である。
【図５】本発明の複数用収納容器の他の実施形態の図１に相当する平面図である。
【図６】本発明の複数用収納容器のさらに別の実施形態の平面図である。
【図７】本発明の複数用収納容器の使用説明図である。
【符号の説明】
【００１９】
１    複数用収納容器
２    収納容器
３    容器本体
３１  底部
３２  周壁部
４    フランジ板
４１  ミシン目
４２  ミシン目
４３  ミシン目
５    切り込み
【図１】
0004587907.tif 000002
【図２】
0004587907.tif 000003
【図３】
0004587907.tif 000004
【図４】
0004587907.tif 000005
【図５】
0004587907.tif 000006
【図６】
0004587907.tif 000007
【図７】
0004587907.tif 000008